(57)【要約】【課題】  使用者が容易にガットを交換することのできるテニスラケットを提供すること。【解決手段】  分割可能なラケットフレームと、ガットが張られ着脱可能なガットカセットとから構成されたので、使用者が容易にガットを交換することができる。【選択図】  図１
2006239336.tif 000002
【特許請求の範囲】
【請求項１】
分割可能なラケットフレームと、ガットが張られ着脱可能なガットカセットとから構成されたことを特徴とするテニスラケット。
【請求項２】
前記ラケットフレームは、ガット面に対して垂直方向に分割可能であることを特徴とする請求項１に記載のテニスラケット。
【請求項３】
前記ラケットフレームは、ガット面に対して平行方向に分割可能であることを特徴とする請求項１記載のテニスラケット。
【請求項４】
前記ラケットフレームは、分割片とフレーム本体がヒンジ結合されたことを特徴とする請求項１〜３の何れか１に記載のテニスラケット。
【発明の詳細な説明】
【技術分野】
【０００１】  本発明は、テニスラケットに関し、特にガットの張り替え作業によって使い慣れたテニスラケットを何日か使用できなくなる不便を解消することのできるテニスラケットに関するものである。
【背景技術】
【０００２】  テニスプレイヤーは、使用しているテニスラケットのガットが弛んだり、破損した場合にテニスショップに依頼してガットの張り替えを依頼するのが一般的である。
【発明の開示】
【発明が解決しようとする課題】
【０００３】  しかし、一般にテニスショップに依頼してガットの張り替えを依頼すると、１〜２日程度の日数を要する場合が多く、この間長年使い慣れたテニスラケットを使用出来ないという問題があった。【０００４】  この発明は、上記に鑑み提案されたもので、テニスプレイヤー自ら、手軽にしかも短時間でガット交換のできるテニスラケットを提供することを目的とする。
【課題を解決するための手段】
【０００５】  上記目的を達成する為に、本発明のテニスラケットは、分割可能なラケットフレームと、ガットが張られ着脱可能なガットカセットとから構成されたことを特徴とする。【０００６】  また、本発明において、前記ラケットフレームは、ガット面に対して垂直方向に分割可能であることを特徴とする。【０００７】  また、本発明において、前記ラケットフレームは、ガット面に対して平行方向に分割可能であることを特徴とする。【０００８】  また、本発明において、前記ラケットフレームは、分割片とフレーム本体がヒンジ結合されたことを特徴とする。
【発明の効果】
【０００９】  この発明は上記した構成からなるので、以下に説明するような効果を奏することができる。【００１０】  本発明のテニスラケットによれば、分割可能なラケットフレームと、ガットが張られ着脱可能なガットカセットとから構成されたので、迅速にラケットのガットを交換することができる。しかも、ガットカセットによりガットの張り強さを自由に選択できるので、好みの張り強さにすることができる。また、ガットカセットは、工場にて種々の張り強さの製品を製造するので、自分に合ったものを選択することができる。【００１１】  また本発明では、前記ラケットフレームは、ガット面に対して垂直方向に分割可能であるので、ガットカセットの交換作業が容易である。また、ガットカセットの取り付け、締め付け作業も容易である。【００１２】  また、本発明では、前記ラケットフレームは、ガット面に対して平行方向に分割可能であるので、ガットカセットの交換作業が容易である。また、ガットカセットの取り付け、締め付け作業も容易である。また、ガットカセットは、ビス等で固定されているので、弛む虞もない。【００１３】  また、本発明では、前記ラケットフレームは、分割片とフレーム本体がヒンジ結合されたので、ガットカセットの交換作業が容易である。また、取り付け作業も容易である。
【発明を実施するための最良の形態】
【００１４】  分割可能なラケットフレームとガットの張られ着脱可能なガットカセットとから構成したので、ガットの交換を使用者が自分で行うことができるという目的が達成できる。
【実施例】
【００１５】  以下、一実施の形態を示す図面に基づいて本発明を詳細に説明する。図１は本発明に係るテニスラケットの第１の実施の形態を示す正面図、図２はテニスラケットを分割した状態を示す説明図、図３はガットカセットを示す説明図である。ここで、テニスラケット１０は、分割可能なラケットフレーム１１と、ガット１２が張られ着脱可能なガットカセット１３とから構成されている。【００１６】  ラケットフレーム１１は、フレーム本体のヘッド１１ａの部分に図２に示すような分割可能な副ヘッド即ち分割片１１ｂを備えている。副ヘッド１１ｂは、ヒンジ１４で開成自在にヘッド１１ａに係着されている。また、ヘッド１１ａ、副ヘッド１１ｂには、それぞれ対応した位置にビス穴１５を有している。なお、図には、オープンスロートのシャフトを示すが、これに限ることなく、クローズスロートのシャフトであってもよい。更に、ヘッド１１ａおよび副ヘッド１１ｂの対向側面には、ガットカセット１３を収容するための段部１６、１７が形成されている。【００１７】  ラケットフレーム１１の材質は、繊維強化樹脂、金属、木材、複合材料等が使用される。ガットカセット１３は、枠体１８にガット１２が予め張られている。ガット１２の種類、張り強さは、種々の数値のものが用意されており、工場等で予め製造しておく。【００１８】  次に、以上のように構成されたテニスラケットのガット交換動作について説明する。先ず、ガットが弛んだり、劣化した場合にビス１９を外して副ヘッド１１ｂを開く（図２参照）。次に、古いガットカセット１３を取り出し、新しいガットカセット１３を装着する。交換が済んだら、副ヘッド１１ｂを閉じて、ビス１９でヘッド１１ａにしっかりと固定する。このようにして、極めて短時間でガットの交換を行うことができる。【００１９】  図４は、本発明のテニスラケットの第２の実施の形態を示す説明図、図５はテニスラケットの側面図、図６はガットカセットを示す説明図である。本実施の形態において、テニスラケット２０は、フレーム本体のヘッド２１の一側面に開成可能に蓋体即ち分割片２２が取り付けられている。蓋体２２は、ピン２３でヘッド２１に回動可能に取り付けられている。また、蓋体２２を開くとその開口部からガットカセット１３を取り出すことができる。更に、蓋体２２は、ビス２４によってヘッド２１に固定されている。蓋体２２には、指を掛ける為の凹部２２ａが形成されおり、開く際にはここに指を掛けることができる。【００２０】  以上のように構成されたテニスラケットにおいても、ビス２４を緩めて蓋体２２を開くことによりガットカセット１３を自由に交換することができる。また、蓋体２２は、ビス２４により固定されるので、弛んだり外れる虞もない。【００２１】  次に、以上のように構成されたテニスラケットは、ガットカセット１３を交換することにより短時間で容易にガットの交換ができるので、長年使い慣れたテニスラケットをいつでも使用することができる。また、ガットカセットの種類を変えることにより、張りの強さを自在に変更することができる。尚、上記の実施の形態においては、フレーム本体と分割片をビス止めしたものを示したが、その他の固定手段によって固定してもよい。
【図面の簡単な説明】
【００２２】
【図１】  図１は、本発明に係るテニスラケットの第１の実施の形態を示す正面図である。
【図２】  図２は、同テニスラケットを分割した状態を示す説明図である。
【図３】  図３は、同テニスラケットに使用されるガットカセットを示す説明図である。
【図４】  図４は、本発明のテニスラケットの第２の実施の形態を示す説明図である。
【図５】  図５は、同テニスラケットの側面図である。
【図６】  図６は、同テニスラケットに使用されるガットカセットを示す説明図である。
【符号の説明】
【００２３】１０        テニスラケット
１１        ラケットフレーム
１１ａ      ヘッド
１１ｂ      副ヘッド（分割片）
１２        ガット
１３        ガットカセット
１４        ヒンジ
１５        ビス穴
１６、１７  段部
１８        枠体
１９        ビス
２０        テニスラケット
２１        ヘッド
２２        蓋体（分割片）
２２ａ      凹部
２３        ピン
２４        ビス
【図１】
2006239336.tif 000003
【図２】
2006239336.tif 000004
【図３】
2006239336.tif 000005
【図４】
2006239336.tif 000006
【図５】
2006239336.tif 000007
【図６】
2006239336.tif 000008